(57)【要約】    【課題】      統計処理を用いて補正された受信品質情報を報告することにより、精度の高いスケジューリングを行うことができるとともに、システムスループットが低下することを防ぐこと。    【解決手段】  仮ＣＱＩ選択部１０８は、測定したＳＮＲを用いて、ＳＮＲとＣＱＩとが関係付けられたＣＱＩ選択用情報を参照することにより、仮ＣＱＩを選択する。統計処理部１０９は、仮ＣＱＩの確率密度分布を生成し、生成した確率密度分布より、仮ＣＱＩの統計的中央値及び確率密度が分布する仮ＣＱＩの範囲を求める。しきい値決定部１１０は、確率密度が分布する仮ＣＱＩの範囲に応じたしきい値を設定する。ＣＱＩ決定部１１１は、仮ＣＱＩが入力する毎にしきい値及び中央値と比較し、比較結果に応じて仮ＣＱＩを受信品質が良好なＣＱＩまたは受信品質が悪いＣＱＩに補正することにより基地局装置に報告する報告ＣＱＩを選択する。  【選択図】      図１
2005057710.tif 000002
【特許請求の範囲】
【請求項１】
受信信号より受信品質を示す受信品質表示値を求める受信品質情報取得手段と、
前記受信品質表示値の確率密度分布における確率密度が最大となる前記受信品質表示値である中央値を求める統計処理手段と、
前記中央値と前記受信品質情報取得手段にて求められた前記受信品質表示値との差に基づいて前記受信品質情報取得手段にて求められた前記受信品質表示値を補正して受信品質情報とする受信品質情報決定手段と、
前記受信品質情報決定手段にて補正された前記受信品質情報を送信する送信手段と、
を具備することを特徴とする通信端末装置。
【請求項２】
前記受信品質情報取得手段は、受信信号より測定された受信品質を示す測定値が第１しきい値以上の場合と前記測定値が前記第１しきい値未満の場合とで異なる受信品質を示す暫定受信品質情報を前記受信品質表示値として求め、前記統計処理手段は、前記暫定受信品質情報より確率密度分布を求め、前記受信品質情報決定手段は、前記中央値と前記受信品質情報生成手段にて生成された前記暫定受信品質情報との差に基づいて前記受信品質情報取得手段にて求められた前記暫定受信品質情報を補正して前記受信品質情報とすることを特徴とする請求項１記載の通信端末装置。
【請求項３】
前記受信品質情報取得手段は、受信信号より受信品質を示す測定値を前記受信品質表示値として求め、前記統計処理手段は、前記測定値より確率密度分布を求め、前記受信品質情報決定手段は、前記中央値と前記測定値との差に基づいて前記受信品質情報取得手段にて求められた前記測定値を補正するとともに、補正された前記測定値が第１しきい値以上の場合と補正された前記測定値が前記第１しきい値未満の場合とで異なる受信品質を示す前記受信品質情報とすることを特徴とする請求項１記載の通信端末装置。
【請求項４】
前記受信品質表示値が前記中央値より大きくてかつ前記中央値と前記受信品質表示値との差が第２しきい値以上の場合には、前記受信品質表示値が前記中央値より大きくてかつ前記中央値と前記受信品質表示値との差が前記第２しきい値未満の場合に比べて、受信信号の電力及び雑音電力を測定する平均化時間を長くする平均化長制御手段を具備し、前記受信品質情報取得手段は、所定の測定区間内の前記平均化時間毎に測定した信号電力と雑音電力を平均することにより前記測定値を求めることを特徴とする請求項２または請求項３記載の通信端末装置。
【請求項５】
前記受信品質情報決定手段は、前記受信品質表示値が前記中央値よりも大きい場合でかつ前記中央値と前記受信品質表示値との差が第３しきい値以上の場合に、前記受信品質情報取得手段にて求められた前記受信品質表示値よりも受信品質が悪い受信品質表示値に補正して前記受信品質情報とすることを特徴とする請求項１から請求項４のいずれかに記載の通信端末装置。
【請求項６】
前記受信品質情報決定手段は、前記受信品質表示値が前記中央値よりも小さい場合でかつ前記中央値と前記受信品質表示値との差が第４しきい値以上の場合に、前記受信品質情報取得手段にて求められた前記受信品質表示値よりも受信品質が良好な受信品質表示値に補正して前記受信品質情報とすることを特徴とする請求項１から請求項５のいずれかに記載の通信端末装置。
【請求項７】
受信信号より信号電力の分散を求める信号電力分散測定手段を具備し、前記受信品質情報決定手段は、前記受信品質表示値が前記中央値より小さくてかつ前記中央値と前記受信品質表示値との差が第５しきい値よりも大きいとともに、前記信号電力分散測定手段にて測定された信号電力の分散が第６しきい値以上の場合に、前記受信品質情報取得手段にて求められた前記受信品質表示値よりも受信品質が良好な受信品質表示値に補正して前記受信品質情報とすることを特徴とする請求項１から請求項６のいずれかに記載の通信端末装置。
【請求項８】
受信信号より受信品質を測定する受信品質情報取得手段と、
前記受信品質情報取得手段にて測定された受信品質を示す測定値が第１しきい値以上の場合と前記測定値が前記第１しきい値未満の場合とで異なる受信品質を示す暫定受信品質情報を生成する受信品質情報生成手段と、
前記受信品質情報生成手段にて同一の受信品質を示す前記暫定受信品質情報が生成される頻度を前記第１しきい値にて区切られた区間毎に求める統計処理手段と、
前記受信品質情報生成手段により生成された前記暫定受信品質情報と異なる受信品質を示すとともに前記暫定受信品質情報の受信品質に近いものから順に選択した２つの選択受信品質情報間の前記頻度の差に基づいて、前記受信品質情報生成手段にて生成された前記暫定受信品質情報を補正して受信品質情報とする受信品質決定手段と、
前記受信品質情報決定手段にて補正された前記受信品質情報を送信する送信手段と、
を具備することを特徴とする通信端末装置。
【請求項９】
受信信号より抽出した受信品質表示値の確率密度分布における確率密度が最大となる前記受信品質表示値である中央値を求める統計処理手段と、
前記中央値と前記受信品質表示値との差に基づいて前記受信品質表示値を補正して受信品質情報とする受信品質情報決定手段と、
前記受信品質情報決定手段にて補正された前記受信品質情報より所定数の通信相手を選択してパケットデータを割り当てるスケジューリング手段と、
を具備することを特徴とする基地局装置。
【請求項１０】
前記受信品質情報決定手段は、前記受信品質表示値が前記中央値よりも大きい場合でかつ前記中央値と前記受信品質表示値との差が第２しきい値以上の場合に、前記受信品質情報取得手段にて求められた前記受信品質表示値よりも受信品質が悪い受信品質表示値に補正して前記受信品質情報とすることを特徴とする請求項９記載の基地局装置。
【請求項１１】
前記受信品質情報決定手段は、前記受信品質表示値が前記中央値よりも小さい場合でかつ前記中央値と前記受信品質表示値との差が第３しきい値以上の場合に、前記受信品質情報取得手段にて求められた前記受信品質表示値よりも受信品質が良好な受信品質表示値に補正して前記受信品質情報とすることを特徴とする請求項９または請求項１０記載の基地局装置。
【請求項１２】
同一の受信品質を示す暫定受信品質情報が受信信号より抽出される頻度を受信品質毎に求める統計処理手段と、
前記暫定受信品質情報と異なる受信品質を示すとともに前記暫定受信品質情報の受信品質に近いものから順に選択した２つの選択受信品質情報間の前記頻度の差に基づいて、前記暫定受信品質情報を補正して受信品質情報とする受信品質情報決定手段と、
前記受信品質情報決定手段にて補正された前記受信品質情報より所定数の通信相手を選択してパケットデータを割り当てるスケジューリング手段と、
を具備することを特徴とする基地局装置。
【請求項１３】
受信信号より受信品質を示す受信品質表示値を求めるステップと、
前記受信品質表示値の確率密度分布における確率密度が最大となる前記受信品質表示値である中央値を求めるステップと、
前記中央値と測定された前記受信品質表示値との差に基づいて当該受信品質表示値を補正して受信品質情報とするステップと、
を具備することを特徴とする受信品質補正方法。
【請求項１４】
受信信号より受信品質を測定するステップと、
測定された受信品質を示す測定値がしきい値以上の場合と前記測定値が前記しきい値未満の場合とで異なる受信品質を示す暫定受信品質情報を生成するステップと、
同一の受信品質を示す前記暫定受信品質情報が生成される頻度を前記しきい値にて区切られた区間毎に求めるステップと、
生成された前記暫定受信品質情報と異なる受信品質を示すとともに前記暫定受信品質情報の受信品質に近いものから順に選択した２つの選択受信品質情報間の前記頻度の差に基づいて、当該暫定受信品質情報を補正して受信品質情報とするステップと、
を具備することを特徴とする受信品質補正方法。
【発明の詳細な説明】
【技術分野】
【０００１】
本発明は、通信端末装置及び基地局装置に関し、特に適応変調及びスケジューリングにより高速パケット通信を行うための通信端末装置及び基地局装置に関する。
【背景技術】
【０００２】
高速パケット通信、例えばＨＳＤＰＡ（High Speed Downlink Packet Access）に使用される適用変調方式においては、移動機がおかれている伝播路環境を基地局に報告する必要がある。この報告値は、例えばＣＱＩ（Channel Quality Indicator）と呼ばれるものが用いられ、移動機は、図１９に示すような受信品質に応じた３０段階からなるＣＱＩが保存されているテーブルを参照することにより、その時々の受信品質に応じたＣＱＩを選択する。ＣＱＩの精度は、報告したＣＱＩに相当する伝送レートで送信を行った場合に、誤り検出の単位であるデータブロックごとの誤り率（ＢＬＥＲ：BLock Error Rate）が１０％以下となる最大のＣＱＩを報告することになっている。したがって、移動機は、例えば既知信号の信号電力と干渉電力を含む雑音電力との比（以下「ＳＮＲ」と記載する）を測定し、測定結果よりその時点でＢＬＥＲ１０％以下を達成可能と思われるＣＱＩを選択する。
【０００３】
図２０は、図１９に示す各ＣＱＩに相当するレートでパケットをＡＷＧＮチャネルで受信した場合において、全コードの合計ＳＮＲとＰＥＲ（Packet Error Rate：パケット誤り率）との関係を示すものである。図２０は、合計ＳＮＲが約１ｄＢ間隔にＣＱＩが設定されており、ＣＱＩ＝１は、−３．６ｄＢ以上でかつ−２.７ｄＢ未満、ＣＱＩ＝２は、−２．７ｄＢ以上でかつ−１．５ｄＢ未満、ＣＱＩ＝３は、−１．５ｄＢ以上でかつ−０．３ｄＢ未満、ＣＱＩ＝４は、−０．３ｄＢ以上でかつ０．６ｄＢ未満及びＣＱＩ＝５は、０．６ｄＢ以上でかつ１．６ｄＢ未満であれば、ＰＥＲを１０％以下にすることができる。例えば、移動機が測定したＳＮＲが−１．８ｄＢである場合、ＰＥＲを１０％以下にするためには最大ＣＱＩをＣＱＩ＝２にする必要がある。したがって、移動機は、推定ＳＮＲが−３．６ｄＢ以上でかつ−２，７ｄＢ未満であればＣＱＩ＝１を選択し、推定ＳＮＲが−２．７ｄＢ以上でかつ−１．５ｄＢ未満であればＣＱＩ＝２を選択し、推定ＳＮＲが−１．５ｄＢ以上でかつ−０．３ｄＢ未満であればＣＱＩ＝３を選択し、推定ＳＮＲが−０．３ｄＢ以上でかつ０．６ｄＢ未満であればＣＱＩ＝４を選択するとともに、推定ＳＮＲが０．６ｄＢ以上でかつ１．６ｄＢ未満であればＣＱＩ＝５を選択するようなテーブルを保持している。
【０００４】
一方、この選択されたＣＱＩの精度を試験する手段としては、基地局シミュレータが移動機の報告してくるＣＱＩに関係なく固定のＣＱＩに相当する変調方式、符号化率、トランスポートブロックサイズにてパケットデータを送信し続け、ＰＥＲとThroughputを測定する方法がある（例えば、非特許文献１。）。この試験によれば、移動機が報告したＣＱＩと基地局シミュレータが送信するＣＱＩが一致した場合のＰＥＲの値からその精度を調査することができる。すなわち、あらゆる環境において移動機が精度の良いＣＱＩを選択している場合には、基地局シミュレータの送信する固定のＣＱＩの値によらず、移動機が選択したＣＱＩを報告したときのＰＥＲは一定の値をとることになる。
【０００５】
ところで、移動機が受信した信号より伝播環境を推定する際には測定分散が生じるため、伝播環境によっては、報告したＣＱＩによってその信頼度が大きく異なる場合が存在する（例えば、非特許文献２。）。移動機が、ある伝播環境においてＣＱＩ＝１０を報告した際の信頼度（ＰＥＲ）について考える。このときのＰＥＲは（１）式で示される。
【０００６】
【数１】
2005057710.tif 000003
ここで、ＰＥＲａｗｇｎ−ＧＴＦ１０（ｘ）：ＡＷＧＮ  ｃｈａｎｎｅｌにおいてＳＮＲがｘｄＢである時に、ＣＱＩ＝１０に相当する伝送レートで送信した時のＰＥＲ
ｐｒ（ＣＱＩ＝１０｜ｘ)：ＳＮＲがｘｄＢである時にＣＱＩ＝１０が選ばれ          る確率
ｐｒ（ｘ）：ある伝播環境におけるＳＮＲがｘｄＢとなる確率
【０００７】
（１）式において、ＰＥＲａｗｇｎ−ＧＴＦ１０（ｘ）は、受信性能に依存する項であり、ｐｒ（ＣＱＩ＝１０｜ｘ)は、測定の分散に依存する項であり、ｐｒ（ｘ）は、伝搬環境に依存する項である。
【０００８】
図２１は、全く同じ測定分散及び同じ受信性能を有する２つの移動機が、異なる伝搬環境で測定したＳＮＲと確率密度との関係を示す図であり、確率密度分布Ｐ１は移動機Ａの確率密度分布を示すものであり、確率密度分布Ｐ２は移動機Ｂの確率密度分布を示すものである。図２１において、ＣＱＩ＝１０が選択されるＳＮＲの幅をｙｄＢとすると、ＣＱＩ＝１０が選択される場合は、測定の分散により、
１）実際はｙｄＢ＋αｄＢであるが、ｙｄＢと測定された場合、
２）実際はｙｄＢ−αｄＢであるが、ｙｄＢと測定された場合、
３）実際にｙｄＢであって、ｙｄＢと測定された場合
の３通りが考えられる。
【０００９】
このとき、両移動機Ａ、Ｂが同じＣＱＩ＝１０を選択する際のＰＥＲを比較すると、測定精度は同じにも関わらず、移動機Bの方の誤り率が移動機Aに比べて高くなってしまう。これは、両受信機Ａ、Ｂにおいて同じＳＮＲ値が測定されている場合に、実際のＳＮＲは測定値ｙｄＢに満たないが測定分散によりｙｄＢとなったケースは移動機Ｂの方が多く、一方実際のＳＮＲはｙｄＢ以上であるが、測定分散によりｙｄＢとなったケースは移動機Ａの方が多いために生じるものである。すなわち、同じＣＱＩ＝１０であっても、移動機Ｂの場合は測定したＳＮＲが大きめに算出され、一方移動機Ａの場合は測定したＳＮＲが小さめに算出されたことを意味している。一方、分布の中央は、前後のＳＮＲの値から測定分散によって中央値となる確率はほぼ等しいので、ＣＱＩ＝８のＰＥＲとＣＱＩ＝１２のＰＥＲとはほぼ等しいものとなる。
【非特許文献１】3GPP, TS25.101 v5.7.0 UE Radio Transmission and Reception (FDD)
【非特許文献２】3GPP, TSGR4-030232, A note on A-VRC, Sony Ericsson Mobile Communications Inc.
【発明の開示】
【発明が解決しようとする課題】
【００１０】
しかしながら、従来は、測定したＳＮＲ分布全体による影響を考慮してＣＱＩを選択していないので、例えば信頼度が低い範囲のＳＮＲ分布に基づいて選択されたＣＱＩは、本来選択されるはずのＣＱＩよりも低めのＣＱＩが選択されてしまう可能性が高い。一方、信頼度が高い範囲のＳＮＲ分布に基づいて選択されたＣＱＩは、本来選択されるはずのＣＱＩよりも高めのＣＱＩが選択されてしまう可能性が高い。このような場合、基地局スケジューラは、移動機の下り回線の伝播環境を知らないので、移動機から送信されたＣＱＩを受け取った場合にＣＱＩの信頼度は分からない。したがって、基地局は、精度の高いスケジューリングを行うことができず、その結果、システムスループットの低下を招くという問題がある。
【００１１】
本発明はかかる点に鑑みてなされたものであり、統計処理を用いて補正された受信品質情報を報告することにより、精度の高いスケジューリングを行うことができるとともに、システムスループットが低下することを防ぐことができる通信端末装置及び基地局装置を提供することを目的とする。
【課題を解決するための手段】
【００１２】
本発明の通信端末装置は、受信信号より受信品質を示す受信品質表示値を求める受信品質情報取得手段と、前記受信品質表示値の確率密度分布における確率密度が最大となる前記受信品質表示値である中央値を求める統計処理手段と、前記中央値と前記受信品質情報取得手段にて求められた前記受信品質表示値との差に基づいて前記受信品質情報取得手段にて求められた前記受信品質表示値を補正して受信品質情報とする受信品質情報決定手段と、前記受信品質情報決定手段にて補正された前記受信品質情報を送信する送信手段と、を具備する構成を採る。
【００１３】
この構成によれば、受信品質表示値より確率密度分布を生成するとともに確率密度が最大となる受信品質表示値である中央値と受信品質表示値との差に基づいて受信品質表示値を補正して受信品質情報とするので、正確な受信品質情報を選択することができることにより、精度の高いスケジューリングを行うことができるとともに、システムスループットが低下することを防ぐことができる。
【００１４】
本発明の通信端末装置は、前記構成において、前記受信品質情報取得手段は、受信信号より測定された受信品質を示す測定値が第１しきい値以上の場合と前記測定値が前記第１しきい値未満の場合とで異なる受信品質を示す暫定受信品質情報を前記受信品質表示値として求め、前記統計処理手段は、前記暫定受信品質情報より確率密度分布を求め、前記受信品質情報決定手段は、前記中央値と前記受信品質情報生成手段にて生成された前記暫定受信品質情報との差に基づいて前記受信品質情報取得手段にて求められた前記暫定受信品質情報を補正して前記受信品質情報とする構成を採る。
【００１５】
この構成によれば、前記効果に加えて、例えばＳＮＲに基づいて選択したＣＱＩを統計処理することによりＣＱＩの確率密度分布を生成するとともに、確率密度分布が最大となるＣＱＩである中央値と生成した仮のＣＱＩとの比較結果に応じて仮のＣＱＩを補正することにより、基地局装置へ報告する報告ＣＱＩを生成するので、受信品質を精度良く示すＣＱＩを生成することができる。
【００１６】
本発明の通信端末装置は、前記構成において、前記受信品質情報取得手段は、受信信号より受信品質を示す測定値を前記受信品質表示値として求め、前記統計処理手段は、前記測定値より確率密度分布を求め、前記受信品質情報決定手段は、前記中央値と前記測定値との差に基づいて前記受信品質情報取得手段にて求められた前記測定値を補正するとともに、補正された前記測定値が第１しきい値以上の場合と補正された前記測定値が前記第１しきい値未満の場合とで異なる受信品質を示す前記受信品質情報とする構成を採る。
【００１７】
この構成によれば、前記効果に加えて、例えば測定したＳＮＲを統計処理することによりＳＮＲの確率密度分布を生成するとともに、確率密度分布が最大となるＳＮＲである中央値と測定した仮のＳＮＲとの比較結果に応じて仮のＳＮＲを補正し、補正したＳＮＲを用いてＣＱＩを生成することにより、基地局装置へ報告する報告ＣＱＩを生成するので、受信品質を精度良く示すＳＮＲを求めることができるとともに、精度良く求めたＳＮＲを用いてＣＱＩを生成することにより受信品質を精度良く示すＣＱＩを生成することができる。
【００１８】
本発明の通信端末装置は、前記構成において、前記受信品質表示値が前記中央値より大きくてかつ前記中央値と前記受信品質表示値との差が第２しきい値以上の場合には、前記受信品質表示値が前記中央値より大きくてかつ前記中央値と前記受信品質表示値との差が前記第２しきい値未満の場合に比べて、受信信号の電力及び雑音電力を測定する平均化時間を長くする平均化長制御手段を具備し、前記受信品質情報取得手段は、所定の測定区間内の前記平均化時間毎に測定した信号電力と雑音電力を平均することにより前記測定値を求める構成を採る。
【００１９】
この構成によれば、前記効果に加えて、中央値と受信品質表示値との差が第２しきい値以上の場合には、受信品質表示値が高めに選択されている可能性が高いとともに、測定された受信品質を示す測定値が大きいことを意味し、さらに信号電力の変動は緩やかであると予想できるので、平均化時間を長くすることにより雑音成分を抑圧して測定分散を抑えることができる。
【００２０】
本発明の通信端末装置は、前記構成において、前記受信品質情報決定手段は、前記受信品質表示値が前記中央値よりも大きい場合でかつ前記中央値と前記受信品質表示値との差が第３しきい値以上の場合に、前記受信品質情報取得手段にて求められた前記受信品質表示値よりも受信品質が悪い受信品質表示値に補正して前記受信品質情報とする構成を採る。
【００２１】
この構成によれば、前記効果に加えて、受信品質表示値が中央値よりも大きい場合でかつ中央値と受信品質表示値との差が第３しきい値以上の信頼度が低い受信品質情報を選択した場合には、誤って高い受信品質の受信品質情報を選択している可能性が高いので、低い受信品質情報に補正することにより、受信品質が低い場合において誤って高い受信品質情報を報告してしまうことを防ぐことができる。
【００２２】
本発明の通信端末装置は、前記構成において、前記受信品質情報決定手段は、前記受信品質表示値が前記中央値よりも小さい場合でかつ前記中央値と前記受信品質表示値との差が第４しきい値以上の場合に、前記受信品質情報取得手段にて求められた前記受信品質表示値よりも受信品質が良好な受信品質表示値に補正して前記受信品質情報とする構成を採る。
【００２３】
この構成によれば、前記効果に加えて、頻度の差が第４しきい値以上の場合に悪い受信品質を示す受信品質情報に補正するので、誤って高い受信品質の暫定受信品質情報をそのまま報告してしまうことを防ぐことができる。
【００２４】
本発明の通信端末装置は、前記構成において、受信信号より信号電力の分散を求める信号電力分散測定手段を具備し、前記受信品質情報決定手段は、前記受信品質表示値が前記中央値より小さくてかつ前記中央値と前記受信品質表示値との差が第５しきい値よりも大きいとともに、前記信号電力分散測定手段にて測定された信号電力の分散が第６しきい値以上の場合に、前記受信品質情報取得手段にて求められた前記受信品質表示値よりも受信品質が良好な受信品質表示値に補正して前記受信品質情報とする構成を採る。
【００２５】
この構成によれば、前記効果に加えて、受信品質表示値が中央値よりも小さい場合において、信号電力の分散に応じて受信品質表示値を受信品質の良好な方向へ補正するので、フェージングによる信号電力の変動が雑音成分であると見なされることにより、低めの受信品質の受信品質表示値を補正により高めの受信品質の受信品質表示値に補正することができる。
【００２６】
本発明の通信端末装置は、受信信号より受信品質を測定する受信品質情報取得手段と、前記受信品質情報取得手段にて測定された受信品質を示す測定値が第１しきい値以上の場合と前記測定値が前記第１しきい値未満の場合とで異なる受信品質を示す暫定受信品質情報を生成する受信品質情報生成手段と、前記受信品質情報生成手段にて同一の受信品質を示す前記暫定受信品質情報が生成される頻度を前記第１しきい値にて区切られた区間毎に求める統計処理手段と、前記受信品質情報生成手段により生成された前記暫定受信品質情報と異なる受信品質を示すとともに前記暫定受信品質情報の受信品質に近いものから順に選択した２つの選択受信品質情報間の前記頻度の差に基づいて、前記受信品質情報生成手段にて生成された前記暫定受信品質情報を補正して受信品質情報とする受信品質決定手段と、前記受信品質情報決定手段にて補正された前記受信品質情報を送信する送信手段と、を具備する構成を採る。
【００２７】
この構成によれば、暫定受信品質情報の生成頻度を用いて、暫定受信品質情報を補正することができるので、正確な受信品質情報を生成することができることにより、精度の高いスケジューリングを行うことができるとともに、システムスループットが低下することを防ぐことができる。また、各受信品質における暫定受信品質情報の生成される回数を数えるだけの簡単な統計処理により暫定受信品質情報を補正することができるので、補正の処理を高速にすることができるとともに補正処理の回路を簡単にすることができる。
【００２８】
本発明の基地局装置は、受信信号より抽出した受信品質表示値の確率密度分布における確率密度が最大となる前記受信品質表示値である中央値を求める統計処理手段と、前記中央値と前記受信品質表示値との差に基づいて前記受信品質表示値を補正して受信品質情報とする受信品質情報決定手段と、前記受信品質情報決定手段にて補正された前記受信品質情報より所定数の通信相手を選択してパケットデータを割り当てるスケジューリング手段と、を具備する構成を採る。
【００２９】
この構成によれば、受信品質表示値より確率密度分布を生成するとともに確率密度が最大となる受信品質表示値である中央値と受信品質表示値との差に基づいて受信品質表示値を補正して受信品質情報とするので、正確な受信品質情報を生成することができることにより、精度の高いスケジューリングを行うことができるとともに、システムスループットが低下することを防ぐことができる。
【００３０】
本発明の基地局装置は、前記構成において、前記受信品質情報決定手段は、前記受信品質表示値が前記中央値よりも大きい場合でかつ前記中央値と前記受信品質表示値との差が第２しきい値以上の場合に、前記受信品質情報取得手段にて求められた前記受信品質表示値よりも受信品質が悪い受信品質表示値に補正して前記受信品質情報とする構成を採る。
【００３１】
この構成によれば、前記効果に加えて、受信品質表示値が中央値よりも大きい場合でかつ中央値と受信品質表示値との差が第２しきい値以上の信頼度が低い受信品質情報を選択した場合には、誤って高い受信品質の受信品質情報を選択している可能性が高いので、低い受信品質情報に補正することにより、受信品質が低い場合において誤って高い受信品質情報を用いてスケジューリングすることを防ぐことができる。
【００３２】
本発明の基地局装置は、前記構成において、前記受信品質情報決定手段は、前記受信品質表示値が前記中央値よりも小さい場合でかつ前記中央値と前記受信品質表示値との差が第３しきい値以上の場合に、前記受信品質情報取得手段にて求められた前記受信品質表示値よりも受信品質が良好な受信品質表示値に補正して前記受信品質情報とする構成を採る。
【００３３】
この構成によれば、前記効果に加えて、頻度の差が第３しきい値以上の場合に悪い受信品質を示す受信品質情報に補正するので、誤って高い受信品質の暫定受信品質情報をそのまま用いてスケジューリングすることを防ぐことができる。
【００３４】
本発明の基地局装置は、同一の受信品質を示す暫定受信品質情報が受信信号より抽出される頻度を受信品質毎に求める統計処理手段と、前記暫定受信品質情報と異なる受信品質を示すとともに前記暫定受信品質情報の受信品質に近いものから順に選択した２つの選択受信品質情報間の前記頻度の差に基づいて、前記暫定受信品質情報を補正して受信品質情報とする受信品質情報決定手段と、前記受信品質情報決定手段にて補正された前記受信品質情報より所定数の通信相手を選択してパケットデータを割り当てるスケジューリング手段と、を具備する構成を採る。
【００３５】
この構成によれば、暫定受信品質情報の報告頻度を用いて、暫定受信品質情報を補正することができるので、正確な受信品質情報を生成することができることにより、精度の高いスケジューリングを行うことができるとともに、システムスループットが低下することを防ぐことができる。また、各受信品質における暫定受信品質情報の報告される回数を数えるだけの簡単な統計処理により暫定受信品質情報を補正することができるので、補正の処理を高速にすることができるとともに補正処理の回路を簡単にすることができる。
【００３６】
本発明の受信品質補正方法は、受信信号より受信品質を示す受信品質表示値を求めるステップと、前記受信品質表示値の確率密度分布における確率密度が最大となる前記受信品質表示値である中央値を求めるステップと、前記中央値と測定された前記受信品質表示値との差に基づいて当該受信品質表示値を補正して受信品質情報とするステップと、を具備するようにした。
【００３７】
この方法によれば、受信品質表示値より確率密度分布を生成するとともに確率密度が最大となる受信品質表示値である中央値と受信品質表示値との差に基づいて受信品質表示値を補正して受信品質情報とするので、正確な受信品質情報を選択することができることにより、精度の高いスケジューリングを行うことができるとともに、システムスループットが低下することを防ぐことができる。
【００３８】
本発明の受信品質補正方法は、受信信号より受信品質を測定するステップと、測定された受信品質を示す測定値がしきい値以上の場合と前記測定値が前記しきい値未満の場合とで異なる受信品質を示す暫定受信品質情報を生成するステップと、同一の受信品質を示す前記暫定受信品質情報が生成される頻度を前記しきい値にて区切られた区間毎に求めるステップと、生成された前記暫定受信品質情報と異なる受信品質を示すとともに前記暫定受信品質情報の受信品質に近いものから順に選択した２つの選択受信品質情報間の前記頻度の差に基づいて、当該暫定受信品質情報を補正して受信品質情報とするステップと、を具備するようにした。
【００３９】
この方法によれば、暫定受信品質情報の生成頻度を用いて、暫定受信品質情報を補正することができるので、正確な受信品質情報を生成することができることにより、精度の高いスケジューリングを行うことができるとともに、システムスループットが低下することを防ぐことができる。また、各受信品質における暫定受信品質情報の生成される回数を数えるだけの簡単な統計処理により暫定受信品質情報を補正することができるので、補正の処理を高速にすることができるとともに補正処理の回路を簡単にすることができる。
【発明の効果】
【００４０】
本発明によれば、統計処理を用いて補正された受信品質情報を報告することにより、精度の高いスケジューリングを行うことができるとともに、システムスループットが低下することを防ぐことができる。
【発明を実施するための最良の形態】
【００４１】
本発明の骨子は、受信信号より測定した受信品質を示す測定値（ＳＮＲ）がしきい値以上の場合としきい値未満の場合とで異なる受信品質を示す受信品質情報（仮ＣＱＩ）を生成し、生成した受信品質情報を用いて受信品質情報の確率密度分布を生成するとともに生成した確率密度分布における確率密度の最大値の受信品質情報である中央値を算出し、算出した中央値と受信品質情報との差に基づいて受信品質情報を補正することにより基地局装置へ報告する受信品質情報（報告ＣＱＩ）を決定することである。
【００４２】
以下、本発明の実施の形態について、図面を参照して詳細に説明する。
【００４３】
（実施の形態１）
図１は、本発明の実施の形態１に係る通信端末装置１００の構成を示すブロック図である。
【００４４】
アンテナ共用部１０２は、アンテナ１０１にて受信した受信信号を受信無線部１０３へ出力するとともに、送信無線部１１５から入力した送信信号をアンテナ１０１より送信する。
【００４５】
受信無線部１０３は、アンテナ共用部１０２から入力した受信信号を無線周波数からベースバンド周波数にダウンコンバート等して逆拡散部１０４へ出力する。
【００４６】
逆拡散部１０４は、受信無線部１０３から入力した受信信号を逆拡散して復調部１０５及びＳＮＲ測定部１０７へ出力する。
【００４７】
復調部１０５は、逆拡散部１０４から入力した受信信号を復調して復号部１０６へ出力する。
【００４８】
復号部１０６は、復調部１０５から入力した受信信号を復号化して受信データを得る。
【００４９】
受信品質情報取得手段であるＳＮＲ測定部１０７は、逆拡散部１０４から入力した逆拡散後の受信信号より、平均信号電力と平均雑音電力を測定してＳＮＲを求め、そのＳＮＲにを受信品質を示す測定値として仮ＣＱＩ選択部１０８へ出力する。
【００５０】
受信品質情報取得手段である仮ＣＱＩ選択部１０８は、ＳＮＲの所定範囲と受信品質情報であるＣＱＩとが関係付けられたＣＱＩ選択用情報を保存する参照テーブルを有しており、ＳＮＲ測定部１０７から入力したＳＮＲを用いてＣＱＩを選択し、選択したＣＱＩを暫定受信品質情報である仮ＣＱＩとして統計処理部１０９及びＣＱＩ決定部１１１へ出力する。ＣＱＩ選択用情報は、ＳＮＲの所定範囲毎にしきい値（第１しきい値）で区切られており、仮ＣＱＩ選択部１０８は、しきい値とＳＮＲ測定部１０７から入力したＳＮＲとを比較することにより仮ＣＱＩを選択することができる。
【００５１】
統計処理部１０９は、仮ＣＱＩ選択部１０８から入力した仮ＣＱＩを統計処理することによりＣＱＩの確率密度分布を生成する。そして、統計処理部１０９は、生成した確率密度分布より、確率密度が最大となる仮ＣＱＩである中央値を算出して中央値情報としてＣＱＩ決定部１１１へ出力する。さらに、統計処理部１０９は、生成した確率密度分布より、確率密度が分布する仮ＣＱＩの範囲を求めて、求めた確率密度が分布する範囲情報をしきい値決定部１１０へ出力する。
【００５２】
しきい値決定部１１０は、統計処理部１０９から入力した確率密度が分布する範囲情報に基づいて、上位しきい値と下位しきい値とを決定する。即ち、しきい値決定部１１０は、ＣＱＩの確率密度分布の広がりがしきい値以上である場合には、ＣＱＩの確率密度分布の広がりがしきい値未満である場合に比べて、ＣＱＩが大きくなる方向へ上位しきい値を所定量移動して補正するとともに、ＣＱＩが小さくなる方向へ下位しきい値を所定量移動して補正することを決定する。そして、しきい値決定部１１０は、決定した上位しきい値情報と下位しきい値情報とをＣＱＩ決定部１１１へ出力する。ここで、上位しきい値は、ＣＱＩの確率密度分布における確率密度が最大のＣＱＩである中央値よりもＣＱＩが大きい方に設定されるものであり、下位しきい値は、ＣＱＩの確率密度分布における確率密度が最大のＣＱＩである中央値よりもＣＱＩが小さい方に設定されるものである。なお、しきい値の設定方法については、後述する。
【００５３】
受信品質情報決定手段であるＣＱＩ決定部１１１は、仮ＣＱＩ選択部１０８から仮ＣＱＩが入力する度に、統計処理部１０９から入力した中央値情報より、仮ＣＱＩが中央値よりも大きいかまたは中央値よりも小さいかを判定する。さらに、ＣＱＩ決定部１１１は、しきい値決定部１１０から入力した上位しきい値情報及び下位しきい値情報より、仮ＣＱＩが上位しきい値以上であるかまたは上位しきい値未満であるかを判定するとともに、仮ＣＱＩが下位しきい値以下であるかまたは下位しきい値より大きいかを判定する。そして、ＣＱＩ決定部１１１は、仮ＣＱＩが上位しきい値以上である場合には、仮ＣＱＩよりも１つだけ受信品質が悪いＣＱＩを報告ＣＱＩとして選択して送信フレーム作成部１１２へ出力する。一方、ＣＱＩ決定部１１１は、仮ＣＱＩが下位しきい値以下である場合には、仮ＣＱＩよりも１つだけ受信品質が良好なＣＱＩを報告ＣＱＩとして選択して送信フレーム作成部１１２へ出力する。また、ＣＱＩ決定部１１１は、仮ＣＱＩが上位しきい値未満でかつ下位しきい値よりも大きい場合、及び仮ＣＱＩが中央値と同じである場合には、仮ＣＱＩを報告ＣＱＩとして送信フレーム作成部１１２へ出力する。
【００５４】
送信フレーム作成部１１２は、ＣＱＩ決定部１１１から入力した報告ＣＱＩと送信データとを多重した送信信号を変調部１１３へ出力する。
【００５５】
変調部１１３は、送信フレーム作成部１１２から入力した送信信号を変調して拡散部１１４へ出力する。
【００５６】
拡散部１１４は、変調部１１３から入力した送信信号を拡散して送信無線部１１５へ出力する。
【００５７】
送信無線部１１５は、拡散部１１４から入力した送信信号をベースバンド周波数から無線周波数にアップコンバート等してアンテナ共用部１０２へ出力する。
【００５８】
次に、通信端末装置１００の動作について、図２を用いて説明する。図２は、通信端末装置１００の動作を示すフロー図である。
【００５９】
最初に、仮ＣＱＩ選択部１０８は、仮ＣＱＩを生成する（ステップＳＴ２０１）。
【００６０】
次に、統計処理部１０９は、仮ＣＱＩを用いて統計処理することによりＣＱＩの確率密度分布を生成する（ステップＳＴ２０２）。
【００６１】
次に、統計処理部１０９は、生成したＣＱＩの確率密度分布を用いて確率密度が最大となるＣＱＩである中央値を算出する（ステップＳＴ２０３）。
【００６２】
次に、しきい値決定部１１０は、確率密度が分布する仮ＣＱＩの幅（ＣＱＩ幅）がしきい値α以上であるか否かを判定する（ステップＳＴ２０４）。確率密度が分布する仮ＣＱＩの幅は、図３に示すように、移動機Ａの確率密度分布Ｐ１についてはＨ１になり、移動機Ｂの確率密度分布Ｐ２についてはＨ２になる。したがって、図３の場合においては、しきい値決定部１１０は、Ｈ１及びＨ２がしきい値α以上であるか否かを判定する。
【００６３】
ＣＱＩ幅がしきい値α以上である場合には、しきい値決定部１１０は、上位しきい値としてβを決定するとともに下位しきい値としてγを決定する（ステップＳＴ２０５）。
【００６４】
一方、ステップＳＴ２０４において、確率密度が分布する仮ＣＱＩの幅がしきい値α以上でない場合には、しきい値決定部１１０は、上位しきい値としてδを決定するとともに下位しきい値としてεを決定する（ステップＳＴ２０６）。このようにして決定された上位しきい値β及び上位しきい値δは、図３に示すように、上位しきい値βと移動機Ｂの確率密度分布Ｐ２の中央値Ｓ２との幅が、上位しきい値δと移動機Ａの確率密度分布Ｐ１の中央値Ｓ１との幅よりも大きくなるように設定される。また、下位しきい値γ及び下位しきい値εは、下位しきい値γと移動機Ｂの確率密度分布Ｐ２の中央値Ｓ２との幅が、下位しきい値εと移動機Ａの確率密度分布Ｐ１の中央値Ｓ１との幅よりも大きくなるように設定される。
【００６５】
確率密度分布に応じてしきい値を可変にて設定する他の方法として、ＣＱＩの確率密度分布の最大値を検出して、最大値がしきい値α１以上であるか否かを判定し、最大値がしきい値α１以上であれば、上位しきい値としてδ１を選択するとともに下位しきい値としてε１を選択し、最大値がしきい値α１以上でない場合には、上位しきい値としてβ１を選択するとともに下位しきい値としてγ１を選択する。また、確率密度分布に応じてしきい値を可変にて設定する他の方法として、確率密度分布に使用したＳＮＲの値より分散を計算し、求めた分散がしきい値α２以上であるか否かを判定し、分散がしきい値α２以上であれば、上位しきい値としてβ２を選択するとともに下位しきい値としてγ２を選択し、分散がしきい値α２以上でない場合には、上位しきい値としてδ２を選択するとともに下位しきい値としてε２を選択する。
【００６６】
次に、ＣＱＩ決定部１１１は、仮ＣＱＩが中央値よりも大きいか否かを判定する（ステップＳＴ２０７）。
【００６７】
仮ＣＱＩが中央値よりも大きい場合には、ＣＱＩ決定部１１１は、仮ＣＱＩが上位しきい値βまたは上位しきい値δよりも大きいか否かを判定する（ステップＳＴ２０８）。
【００６８】
そして、仮ＣＱＩが上位しきい値βまたは上位しきい値δよりも大きい場合には、ＣＱＩ決定部１１１は、仮ＣＱＩよりも１つだけ受信品質が悪いＣＱＩを選択して報告ＣＱＩとする（ステップＳＴ２０９）。例えば、仮ＣＱＩが図１９に示すレベル２５の場合には、ＣＱＩ決定部１１１は、レベル２４のＣＱＩを報告ＣＱＩとして選択する。
【００６９】
ステップＳＴ２０８において、仮ＣＱＩが上位しきい値βまたは上位しきい値δよりも大きくない場合には、ＣＱＩ決定部１１１は、仮ＣＱＩを報告ＣＱＩとして選択する（ステップＳＴ２１０）。
【００７０】
一方、ステップＳＴ２０７において、仮ＣＱＩが中央値よりも大きくない場合には、ＣＱＩ決定部１１１は、仮ＣＱＩが中央値よりも小さいか否かを判定する（ステップＳＴ２１１）。
【００７１】
仮ＣＱＩが中央値よりも小さくない場合には、ＣＱＩ決定部１１１は、仮ＣＱＩを報告ＣＱＩとして選択する（ステップＳＴ２１０）。この場合、仮ＣＱＩと中央値としてのＣＱＩとは同じである。
【００７２】
仮ＣＱＩが中央値よりも小さい場合には、ＣＱＩ決定部１１１は、仮ＣＱＩが下位しきい値γまたは下位しきい値εよりも大きいか否かを判定する（ステップＳＴ２１２）。
【００７３】
そして、仮ＣＱＩが下位しきい値γまたは下位しきい値εよりも大きい場合には、ＣＱＩ決定部１１１は、仮ＣＱＩを報告ＣＱＩとして選択する（ステップＳＴ２１０）。
【００７４】
また、仮ＣＱＩが下位しきい値γまたは下位しきい値εよりも大きくない場合には、ＣＱＩ決定部１１１は、仮ＣＱＩよりも１つだけ受信品質が良好なＣＱＩを選択して報告ＣＱＩとする（ステップＳＴ２１３）。例えば、仮ＣＱＩが図１９に示すレベル２５の場合には、ＣＱＩ決定部１１１は、レベル２６のＣＱＩを報告ＣＱＩとして選択する。
【００７５】
次に、通信端末装置１００は、選択した報告ＣＱＩを基地局装置へ送信する（ステップＳＴ２１４）。そして、ＣＱＩを受信した基地局装置は、ＣＱＩを用いてスケジューリング及び適応変調等の処理を行う。
【００７６】
上位しきい値と下位しきい値とを確率密度分布の広がりに応じて可変にする理由は、図４に示すように、例えばＣＱＩ＝１０のＳＮＲの範囲がＷ１である場合に、Ｗ１の最大値におけるＳＮＲとＷ１の最小値におけるＳＮＲとの確率密度の差が、移動機Ａの確率密度分布Ｐ１についてはＨ１であるのに対して、移動機Ｂの確率密度分布Ｐ２についてはＨ２（Ｈ１＞Ｈ２）となる。これより、移動機Ａの確率密度分布Ｐ１は、移動機Ｂの確率密度分布Ｐ２よりも、ＳＮＲの測定精度が同じであるとした場合においては確率密度の変動幅は大きくなる。したがって、精度の良いＣＱＩを選択するためには、移動機Ａの確率密度分布Ｐ１に設定する上位しきい値及び下位しきい値は、移動機Ｂの確率密度分布Ｐ２に設定する上位しきい値及び下位しきい値よりも、確率密度分布が最大となる確率密度のＳＮＲである中央値に近い位置に設定される。
【００７７】
このように、本実施の形態１によれば、通信端末装置において、仮ＣＱＩを用いて統計処理することによりＣＱＩの確率密度分布を生成し、生成したＣＱＩの確率密度分布の中央値と仮ＣＱＩとの差がしきい値以上である場合には、仮ＣＱＩよりも受信品質が良好なＣＱＩまたは仮ＣＱＩよりも受信品質が悪いＣＱＩを報告ＣＱＩとして選択するので、基地局装置において精度の高いスケジューリングを行うことができるとともに、システムスループットが低下することを防ぐことができる。
【００７８】
また、本実施の形態１によれば、仮ＣＱＩと比較する上位しきい値及び下位しきい値を、ＣＱＩの確率密度分布の広がりに応じて可変にするので、ＣＱＩ選択時の測定分散により実際の受信品質と異なる受信品質のＣＱＩを選択してしまうことを防ぐことができる。
【００７９】
なお、本実施の形態１において、ＣＱＩの確率密度分布の広がり、ＣＱＩの確率密度分布の最大値または分散としきい値αとを比較して上位しきい値及び下位しきい値を設定することとしたが、これに限らず、ＣＱＩの確率密度分布が広がるほど、ＣＱＩの確率密度分布の最大値が小さくなるほど、または、分散が大きくなるほど、上位しきい値、下位しきい値を中央値から離して設定するようにしても良い。また、本実施の形態１において、仮ＣＱＩと上位しきい値及び仮ＣＱＩと下位しきい値を比較することとしたが、これに限らず、複数の上位しきい値及び複数の下位しきい値を設定して、仮ＣＱＩと比較するようにしても良い。また、本実施の形態１において、仮ＣＱＩと上位しきい値及び下位しきい値との比較結果に応じて仮ＣＱＩよりも１つだけ受信品質が良好なＣＱＩまたは仮ＣＱＩよりも１つだけ受信品質が悪いＣＱＩを選択することとしたが、これに限らず、仮ＣＱＩよりも２つ以上受信品質が良好な何れかのＣＱＩまたは仮ＣＱＩよりも２つ以上受信品質が悪い何れかのＣＱＩを選択しても良い。
【００８０】
（実施の形態２）
図５は、本発明の実施の形態２に係る基地局装置５００の構成を示すブロック図である。
【００８１】
アンテナ共用部５０２は、アンテナ５０１にて受信した受信信号を受信無線部５０３へ出力するとともに、送信無線部５１４から入力した送信信号をアンテナ５０１より送信する。
【００８２】
受信無線部５０３は、アンテナ共用部５０２から入力した受信信号を無線周波数からベースバンド周波数にダウンコンバート等して逆拡散部５０４へ出力する。
【００８３】
逆拡散部５０４は、受信無線部５０３から入力した受信信号を逆拡散して復調部５０５へ出力する。
【００８４】
復調部５０５は、逆拡散部５０４から入力した受信信号を復調して復号部５０６へ出力する。
【００８５】
復号部５０６は、復調部５０５から入力した受信信号を復号化して統計処理部５０７及び無線品質推定部５０９へ出力するとともに受信データを得る。
【００８６】
統計処理部５０７は、復号部５０６から入力した受信信号よりＣＱＩを抽出し、抽出したＣＱＩを統計処理することによりＣＱＩの確率密度分布を生成する。そして、統計処理部５０７は、生成した確率密度分布より、確率密度が最大となるＣＱＩである中央値を算出して中央値情報として無線品質推定部５０９へ出力する。さらに、統計処理部５０７は、生成した確率密度分布より、確率密度が分布するＣＱＩの範囲を求めて、求めた確率密度が分布する範囲情報をしきい値決定部５０８へ出力する。
【００８７】
しきい値決定部部５０８は、統計処理部５０７から入力したＣＱＩの確率密度が分布する範囲情報に基づいて、上位しきい値と下位しきい値とを決定する。即ち、しきい値決定部５０８は、ＣＱＩの確率密度分布の広がりがしきい値以上である場合は、ＣＱＩの確率密度分布の広がりがしきい値未満である場合に比べて、上位しきい値をＣＱＩが大きくなる方向へ所定量移動して補正することを決定するとともに、下位しきい値をＣＱＩが小さくなる方向へ所定量移動して補正することを決定する。そして、しきい値決定部５０８は、決定した上位しきい値情報と下位しきい値情報とを無線品質推定部５０９へ出力する。ここで、上位しきい値は、ＣＱＩの確率密度分布における確率密度が最大のＣＱＩである中央値よりもＣＱＩが大きい方に設定されるものであり、下位しきい値は、ＣＱＩの確率密度分布における確率密度が最大のＣＱＩである中央値よりもＣＱＩが小さい方に設定されるものである。なお、しきい値設定方法については、後述する。
【００８８】
無線品質推定部５０９は、復号部５０６から入力した受信信号よりＣＱＩを抽出し、ＣＱＩを抽出する度に、しきい値決定部５０８から入力した上位しきい値情報及び下位しきい値情報と統計処理部５０７から入力した中央値情報とより、抽出したＣＱＩが上位しきい値以上であるか否かを判定するとともに抽出したＣＱＩが下位しきい値以下であるか否かを判定する。そして、無線品質推定部５０９は、抽出したＣＱＩが上位しきい値以上である場合には、抽出したＣＱＩよりも１つだけ受信品質が悪いＣＱＩを選択してスケジューラ部５１０へ出力する。一方、無線品質推定部５０９は、抽出したＣＱＩが下位しきい値以下である場合には、抽出したＣＱＩよりも１つだけ受信品質が良好なＣＱＩを選択してスケズジューラ部５１０へ出力する。また、無線品質推定部５０９は、抽出したＣＱＩが上位しきい値未満でかつ下位しきい値よりも大きい場合、及び抽出したＣＱＩが中央値と同じである場合には、抽出したＣＱＩをそのままスケジューラ部５１０へ出力する。
【００８９】
スケジューラ部５１０は、無線品質推定部５０９から入力したＣＱＩより、各通信端末装置の受信品質を推定し、推定した受信品質を用いて受信品質が良好な順番、またはパワーリソース若しくはコードリソースを考慮した順番にて所定数の通信端末装置を選択して、選択した通信端末装置に優先的にパケットデータを割り当てる等のスケジューリングを行う。そして、スケジューラ部５１０は、スケジューリングした結果に基づいて、送信フレーム作成部５１１を制御する。
【００９０】
送信フレーム作成部５１１は、スケジューラ部５１０の制御により、各ユーザの通信端末装置へ送信するパケットデータを生成して変調部５１２へ出力する。
【００９１】
変調部５１２は、送信フレーム作成部５１１から入力した送信信号を変調して拡散部５１３へ出力する。
【００９２】
拡散部５１３は、変調部５１２から入力した送信信号を拡散して送信無線部５１４へ出力する。
【００９３】
送信無線部５１４は、拡散部５１３から入力した送信信号をベースバンド周波数から無線周波数にアップコンバート等してアンテナ共用部５０２へ出力する。
【００９４】
次に、基地局装置５００の動作について、図６を用いて説明する。図６は、基地局装置５００の動作を示すフロー図である。
【００９５】
最初に、統計処理部５０７は、受信信号よりＣＱＩを抽出する（ステップＳＴ６０１）。
【００９６】
次に、統計処理部５０７は、抽出したＣＱＩを用いて統計処理することによりＣＱＩの確率密度分布を生成する（ステップＳＴ６０２）。
【００９７】
次に、統計処理部５０７は、抽出したＣＱＩの確率密度分布を用いて確率密度が最大となるＣＱＩである中央値を算出する（ステップＳＴ６０３）。
【００９８】
次に、しきい値決定部５０８は、確率密度が分布するＣＱＩの幅（ＣＱＩ幅）がしきい値α以上であるか否かを判定する（ステップＳＴ６０４）。
【００９９】
ＣＱＩ幅がしきい値α以上である場合には、しきい値決定部５０８は、上位しきい値としてβを決定するとともに下位しきい値としてγを決定する（ステップＳＴ６０５）。
【０１００】
一方、ステップＳＴ６０４において、ＣＱＩ幅がしきい値α以上でない場合には、しきい値決定部５０８は、上位しきい値としてδを決定するとともに下位しきい値としてεを決定する（ステップＳＴ６０６）。なお、上位しきい値β、δ及び下位しきい値γ、εは、上記実施の形態１における通信端末装置と同一の方法により設定される。
【０１０１】
次に、無線品質推定部５０９は、抽出したＣＱＩが中央値よりも大きいか否かを判定する（ステップＳＴ６０７）。
【０１０２】
抽出したＣＱＩが中央値よりも大きい場合には、無線品質推定部５０９は、抽出したＣＱＩが上位しきい値βまたは上位しきい値δよりも大きいか否かを判定する（ステップＳＴ６０８）。
【０１０３】
そして、抽出したＣＱＩが上位しきい値βまたは上位しきい値δよりも大きい場合には、無線品質推定部５０９は、抽出したＣＱＩよりも１つだけ受信品質が悪いＣＱＩを選択して報告ＣＱＩとする（ステップＳＴ６０９）。例えば、抽出したＣＱＩが図１９に示すレベル２５の場合には、ＣＱＩ決定部１１１は、レベル２４のＣＱＩを報告ＣＱＩとして選択する。
【０１０４】
ステップＳＴ６０８において、抽出したＣＱＩが上位しきい値βまたは上位しきい値δよりも大きくない場合には、無線品質推定部５０９は、抽出したＣＱＩを報告ＣＱＩとして選択する（ステップＳＴ６１０）。
【０１０５】
一方、ステップＳＴ６０７において、抽出したＣＱＩが中央値よりも大きくない場合には、無線品質推定部５０９は、抽出したＣＱＩが中央値よりも小さいか否かを判定する（ステップＳＴ６１１）。
【０１０６】
抽出したＣＱＩが中央値よりも小さくない場合には、無線品質推定部５０９は、抽出したＣＱＩを報告ＣＱＩとして選択する（ステップＳＴ６１０）。
【０１０７】
抽出したＣＱＩが中央値よりも小さい場合には、無線品質推定部５０９は、抽出したＣＱＩが下位しきい値γまたは下位しきい値εよりも大きいか否かを判定する（ステップＳＴ６１２）。
【０１０８】
そして、抽出したＣＱＩが下位しきい値γまたは下位しきい値εよりも大きい場合には、無線品質推定部５０９は、抽出したＣＱＩを報告ＣＱＩとして選択する（ステップＳＴ６１０）。
【０１０９】
また、抽出したＣＱＩが下位しきい値γまたは下位しきい値εよりも大きくない場合には、無線品質推定部５０９は、抽出したＣＱＩよりも１つだけ受信品質が良好なＣＱＩを選択して報告ＣＱＩとする（ステップＳＴ６１３）。例えば、抽出したＣＱＩが図１９に示すレベル２５の場合には、無線品質推定部５０９は、レベル２６のＣＱＩを報告ＣＱＩとして選択する。
【０１１０】
次に、スケジューラ部５１０は、選択した報告ＣＱＩを用いてスケジューリングを行う（ステップＳＴ６１４）。
【０１１１】
このように、本実施の形態２によれば、基地局装置において、受信信号より抽出したＣＱＩを用いて統計処理することにより、ＣＱＩの確率密度分布を生成し、ＣＱＩの確率密度分布の中央値と抽出したＣＱＩとの差がしきい値以上である場合には、抽出したＣＱＩよりも受信品質が良好なＣＱＩまたは抽出したＣＱＩよりも受信品質が悪いＣＱＩを報告ＣＱＩとして選択するので、精度の高いスケジューリングを行うことができるとともに、システムスループットが低下することを防ぐことができる。
【０１１２】
また、本実施の形態２によれば、抽出したＣＱＩと比較する上位しきい値及び下位しきい値を、ＣＱＩの確率密度分布の広がりに応じて可変にするので、ＣＱＩ選択時の測定分散により実際の受信品質と異なる受信品質のＣＱＩを選択してしまうことを防ぐことができる。
【０１１３】
なお、本実施の形態２において、ＣＱＩの確率密度分布の広がり、ＣＱＩの確率密度分布の最大値または分散としきい値αとを比較して上位しきい値及び下位しきい値を設定することとしたが、これに限らず、ＣＱＩの確率密度分布が広がるほど、ＣＱＩの確率密度分布の最大値が小さくなるほど、または、分散が大きくなるほど、上位しきい値、下位しきい値を中央値から離して設定するようにしても良い。また、本実施の形態２において、抽出したＣＱＩと上位しきい値及び抽出したＣＱＩと下位しきい値を比較することとしたが、これに限らず、複数の上位しきい値及び複数の下位しきい値を設定して、抽出したＣＱＩと比較するようにしても良い。また、本実施の形態１において、抽出されたＣＱＩと上位しきい値及び下位しきい値との比較結果に応じて抽出されたＣＱＩよりも１つだけ受信品質が良好なＣＱＩまたは抽出されたＣＱＩよりも１つだけ受信品質が悪いＣＱＩを選択することとしたが、これに限らず、抽出されたＣＱＩよりも２つ以上受信品質が良好な何れかのＣＱＩまたは抽出されたＣＱＩよりも２つ以上受信品質が悪い何れかのＣＱＩを選択しても良い。
【０１１４】
（実施の形態３）
図７は、本発明の実施の形態３に係る通信端末装置７００の構成を示すブロック図である。
【０１１５】
本実施の形態３に係る通信端末装置７００は、図１に示す実施の形態１に係る通信端末装置１００において、図７に示すように、仮ＣＱＩ選択部１０８を除き、ＳＮＲ決定部７０３を追加し、統計処理部１０９、しきい値決定部１１０及びＣＱＩ決定部１１１の代わりに統計処理部７０１、しきい値決定部７０２及びＣＱＩ決定部７０４を有する。なお、図７においては、図１と同一構成である部分には同一の符号を付してその説明は省略する。
【０１１６】
統計処理部７０１は、ＳＮＲ測定部１０７から入力したＳＮＲを統計処理することによりＳＮＲの確率密度分布を生成する。そして、統計処理部７０１は、生成した確率密度分布より、確率密度が最大となるＳＮＲである中央値を算出して中央値情報としてＳＮＲ決定部７０３へ出力する。さらに、統計処理部７０１は、生成した確率密度分布より、確率密度が分布するＳＮＲの範囲を求めて、求めた確率密度が分布する範囲情報をしきい値決定部７０２へ出力する。
【０１１７】
しきい値決定部７０２は、統計処理部７０１から入力したＳＮＲの確率密度の分布の範囲情報に基づいて、上位しきい値と下位しきい値とを決定する。即ち、しきい値決定部７０２は、ＳＮＲの確率密度分布の広がりがしきい値以上である場合は、ＳＮＲの確率密度分布の広がりがしきい値未満である場合に比べて、上位しきい値をＳＮＲが大きくなる方向へ所定量移動して補正することを決定するとともに、下位しきい値をＳＮＲが小さくなる方向へ所定量移動して補正することを決定する。そして、しきい値決定部７０２は、決定した上位しきい値情報と下位しきい値情報とをＳＮＲ決定部７０３へ出力する。ここで、上位しきい値は、ＳＮＲの確率密度分布における確率密度が最大のＳＮＲである中央値よりもＳＮＲが大きい方に設定されるものであり、下位しきい値は、ＳＮＲの確率密度分布における確率密度が最大のＳＮＲである中央値よりもＳＮＲが小さい方に設定されるものである。なお、しきい値設定方法については、後述する。
【０１１８】
受信品質情報決定手段であるＳＮＲ決定部７０３は、ＳＮＲ測定部１０７からＳＮＲが入力する度に、統計処理部７０１から入力した中央値情報より、ＳＮＲが中央値よりも大きいかまたは中央値よりも小さいかを判定する。さらに、ＳＮＲ決定部７０３は、しきい値決定部７０２から入力した上位しきい値情報及び下位しきい値情報より、ＳＮＲが上位しきい値以上であるかまたは上位しきい値未満であるかを判定するとともに、ＳＮＲが下位しきい値以下であるかまたは下位しきい値より大きいかを判定する。そして、ＳＮＲ決定部７０３は、ＳＮＲが上位しきい値以上である場合には、実際に測定したＳＮＲよりも所定量（例えば０．５ｄＢ）だけ受信品質が悪いＳＮＲを選択してＣＱＩ決定部７０４へ出力する。一方、ＳＮＲ決定部７０３は、ＳＮＲが下位しきい値以下である場合には、実際に測定したＳＮＲよりも所定量（例えば０．５ｄＢ）だけ受信品質が良好なＳＮＲを選択してＣＱＩ決定部７０４へ出力する。また、ＳＮＲ決定部７０３は、ＳＮＲが上位しきい値未満でかつ下位しきい値よりも大きい場合、及びＳＮＲが中央値と同じである場合には、実際に測定したＳＮＲをＣＱＩ決定部７０４へ出力する。
【０１１９】
受信品質情報決定手段であるＣＱＩ決定部７０４は、図１９に示すようなＳＮＲとＣＱＩとが関係付けられたＣＱＩ選択用情報を保存する参照テーブルを有しており、ＳＮＲ決定部７０３から入力したＳＮＲを用いてＣＱＩを選択する。そして、ＣＱＩ決定部７０４は、選択したＣＱＩを報告ＣＱＩとして送信フレーム作成部１１２へ出力する。
【０１２０】
次に、通信端末装置７００の動作について、図８を用いて説明する。図８は、通信端末装置７００の動作を示すフロー図である。
【０１２１】
最初に、ＳＮＲ測定部１０７は、ＳＮＲを測定する（ステップＳＴ８０１）。
【０１２２】
次に、統計処理部７０１は、ＳＮＲを用いて統計処理することによりＳＮＲの確率密度分布を生成する（ステップＳＴ８０２）。
【０１２３】
次に、統計処理部７０１は、生成したＳＮＲの確率密度分布を用いて確率密度が最大となるＳＮＲである中央値を算出する（ステップＳＴ８０３）。
【０１２４】
次に、しきい値決定部７０２は、確率密度分布のＳＮＲの幅（ＳＮＲ幅）がしきい値α以上であるか否かを判定する（ステップＳＴ８０４）。
【０１２５】
ＳＮＲ幅がしきい値α以上である場合には、しきい値決定部７０２は、上位しきい値としてβを決定するとともに下位しきい値としてγを決定する（ステップＳＴ８０５）。
【０１２６】
一方、ステップＳＴ８０４において、ＳＮＲ幅がしきい値α以上でない場合には、しきい値決定部７０２は、上位しきい値としてδを決定するとともに下位しきい値としてεを決定する（ステップＳＴ８０６）。
【０１２７】
確率密度分布に応じてしきい値を可変にて設定する他の方法として、ＳＮＲの確率密度分布の最大値を検出して、最大値がしきい値α１以上であるか否かを判定し、最大値がしきい値α１以上であれば、上位しきい値としてδ１を選択するとともに下位しきい値としてε１を選択し、最大値がしきい値α１以上でない場合には、上位しきい値としてβ１を選択するとともに下位しきい値としてγ１を選択する。また、確率密度分布に応じてしきい値を可変にて設定する他の方法として、確率密度分布に使用したＳＮＲの値より分散を計算し、求めた分散がしきい値α２以上であるか否かを判定し、分散がしきい値α２以上であれば、上位しきい値としてβ２を選択するとともに下位しきい値としてγ２を選択し、分散がしきい値α２以上でない場合には、上位しきい値としてδ２を選択するとともに下位しきい値としてε２を選択する。
【０１２８】
次に、ＳＮＲ決定部７０３は、ＳＮＲが中央値よりも大きいか否かを判定する（ステップＳＴ８０７）。
【０１２９】
ＳＮＲが中央値よりも大きい場合には、ＳＮＲ決定部７０３は、ＳＮＲが上位しきい値βまたは上位しきい値δよりも大きいか否かを判定する（ステップＳＴ８０８）。
【０１３０】
そして、ＳＮＲが上位しきい値βまたは上位しきい値δよりも大きい場合には、ＳＮＲ決定部７０３は、測定したＳＮＲよりもａｄＢだけ受信品質が悪いＳＮＲを選択する（ステップＳＴ８０９）。例えば、測定したＳＮＲが２．５ｄＢである場合には、ＳＮＲ決定部７０３は、ＳＮＲが（２．５−ａ）ｄＢである情報をＣＱＩ決定部７０４へ出力する。
【０１３１】
ステップＳＴ８０８において、ＳＮＲが上位しきい値βまたは上位しきい値δよりも大きくない場合には、ＳＮＲ決定部７０３は、測定したＳＮＲの情報をそのままＣＱＩ決定部７０４へ出力する（ステップＳＴ８１０）。
【０１３２】
一方、ステップＳＴ８０７において、測定したＳＮＲが中央値よりも大きくない場合には、ＳＮＲ決定部７０３は、測定したＳＮＲが中央値よりも小さいか否かを判定する（ステップＳＴ８１１）。
【０１３３】
測定したＳＮＲが中央値よりも小さくない場合には、ＳＮＲ決定部７０３は、測定したＳＮＲの情報をそのままＣＱＩ決定部７０４へ出力する（ステップＳＴ８１０）。
【０１３４】
測定したＳＮＲが中央値よりも小さい場合には、ＳＮＲ決定部７０３は、測定したＳＮＲが下位しきい値γまたは下位しきい値εよりも大きいか否かを判定する（ステップＳＴ８１２）。
【０１３５】
そして、測定したＳＮＲが下位しきい値γまたは下位しきい値εよりも大きい場合には、ＳＮＲ決定部７０３は、測定したＳＮＲの情報をそのままＣＱＩ決定部７０４へ出力する（ステップＳＴ８１０）。
【０１３６】
また、測定したＳＮＲが下位しきい値γまたは下位しきい値εよりも大きくない場合には、ＳＮＲ決定部７０３は、測定したＳＮＲよりもａｄＢだけ受信品質が良好なＳＮＲを選択する（ステップＳＴ８１３）。例えば、測定したＳＮＲが２．５ｄＢの場合には、ＳＮＲ決定部７０３は、ＳＮＲが（２．５＋ａ）ｄＢである情報をＣＱＩ決定部７０４へ出力する。
【０１３７】
次に、ＣＱＩ決定部７０４は、ＳＮＲ決定部７０３にて決定してＳＮＲ決定部７０３から入力したＳＮＲを用いて、ＣＱＩ選択用情報を参照することによりＣＱＩを選択して報告ＣＱＩを生成する（ステップＳＴ８１４）。
【０１３８】
次に、通信端末装置７００は、選択した報告ＣＱＩを基地局装置へ送信する（ステップＳＴ８１５）。なお、ＳＮＲの確率密度分布は、図４における横軸のＣＱＩがＳＮＲになる以外は図４と同一である。
【０１３９】
このように、本実施の形態３によれば、ＳＮＲを用いて統計処理することによりＳＮＲの確率密度分布を生成し、生成したＳＮＲの確率密度分布の中央値とＳＮＲとの差をしきい値と比較することにより、必要に応じてＳＮＲを補正し、補正したＳＮＲを用いてＣＱＩを生成するので、基地局装置において精度の高いスケジューリングを行うことができるとともに、システムスループットが低下することを防ぐことができる。また、本実施の形態３によれば、ＳＮＲと比較する上位しきい値及び下位しきい値をＳＮＲの確率密度分布の形状に応じて可変にするので、ＳＮＲ測定時の測定分散により実際の受信品質と異なるＳＮＲを用いてＣＱＩを選択してしまうことを防ぐことができる。また、本実施の形態３によれば、ＳＮＲの確率密度分布を用いて測定したＳＮＲを補正するので、ＣＱＩを補正する場合に比べて補正幅を小さくすることができることにより精度の良いＳＮＲを用いてＣＱＩを選択することができ、極めて精度良くＣＱＩを選択することができる。
【０１４０】
なお、本実施の形態３において、ＳＮＲの確率密度分布の広がり、ＳＮＲの確率密度分布の最大値または分散としきい値αとを比較して上位しきい値及び下位しきい値を設定することとしたが、これに限らず、ＣＱＩの確率密度分布が広がるほど、ＣＱＩの確率密度分布の最大値が小さくなるほど、または、分散が大きくなるほど、上位しきい値、下位しきい値を中央値から離して設定するようにしても良い。また、本実施の形態３において、ＳＮＲと上位しきい値及びＳＮＲと下位しきい値を比較することとしたが、これに限らず、複数の上位しきい値及び複数の下位しきい値を設定して、ＳＮＲと比較するようにしても良い。
【０１４１】
（実施の形態４）
図９は、本発明の実施の形態４に係る通信端末装置９００の構成を示すブロック図である。
【０１４２】
本実施の形態４に係る通信端末装置９００は、図１に示す実施の形態１に係る通信端末装置１００において、図９に示すように、信号電力分散測定部９０１及び平均化長制御部９０３を追加し、ＣＱＩ決定部１１１の代わりにＣＱＩ決定部９０２を有する。なお、図９においては、図１と同一構成である部分には同一の符号を付してその説明は省略する。
【０１４３】
信号電力分散測定部９０１は、逆拡散部１０４から入力した逆拡散後の既知信号の電力測定区間を複数の区間に分割し、分割した各々の区間の平均電力を算出する。そして、信号電力分散測定部９０１は、算出した平均電力の分散を測定してＣＱＩ決定部９０２へ出力する。
【０１４４】
ＣＱＩ決定部９０２は、仮ＣＱＩ選択部１０８から仮ＣＱＩが入力する度に、統計処理部１０９から入力した中央値情報より、仮ＣＱＩが中央値よりも大きいかまたは中央値よりも小さいかを判定する。さらに、ＣＱＩ決定部９０２は、しきい値決定部１１０から入力した上位しきい値情報及び下位しきい値情報より、仮ＣＱＩが上位しきい値以上であるかまたは上位しきい値未満であるかを判定するとともに、仮ＣＱＩが下位しきい値以下であるかまたは下位しきい値より大きいかを判定する。そして、ＣＱＩ決定部９０２は、仮ＣＱＩが中央値以上でかつ上位しきい値以上である場合には、仮ＣＱＩが中央値以上でかつ上位しきい値以上である情報を平均化長制御部９０３へ出力する。一方、ＣＱＩ決定部９０２は、仮ＣＱＩが中央値より小さくてかつ下位しきい値以下である場合には、信号電力分散測定部９０１から入力した信号電力の分散情報より、信号電力の分散がしきい値以上であるか否かを判定し、信号電力の分散がしきい値以上である場合には、仮ＣＱＩよりも１つだけ受信品質が良好なＣＱＩを報告ＣＱＩとして選択して送信フレーム作成部１１２へ出力し、信号電力の分散がしきい値未満である場合には、仮ＣＱＩを報告ＣＱＩとして送信フレーム作成部１１２へ出力する。また、ＣＱＩ決定部９０２は、仮ＣＱＩが上位しきい値未満でかつ下位しきい値よりも大きい場合、及び仮ＣＱＩが中央値と同じである場合には、仮ＣＱＩを報告ＣＱＩとして送信フレーム作成部１１２へ出力する。
【０１４５】
平均化長制御部９０３は、ＣＱＩ決定部９０２から仮ＣＱＩが中央値以上でかつ上位しきい値以上である情報が入力した場合には、信号電力を平均化する区間の長さ（平均化時間）を長くするようにＳＮＲ測定部１０７を制御する。
【０１４６】
次に、通信端末装置９００の動作について、図１０及び図１１を用いて説明する。図１０及び図１１は、通信端末装置９００の動作を示すフロー図である。
【０１４７】
最初に、仮ＣＱＩ選択部１０８は、仮ＣＱＩを生成する（ステップＳＴ１００１）。
【０１４８】
次に、統計処理部１０９は、仮ＣＱＩを用いて統計処理することによりＣＱＩの確率密度分布を生成する（ステップＳＴ１００２）。
【０１４９】
次に、統計処理部１０９は、生成したＣＱＩの確率密度分布を用いて確率密度が最大となるＣＱＩである中央値を算出する（ステップＳＴ１００３）。
【０１５０】
次に、しきい値決定部１１０は、確率密度分布のＣＱＩの幅（ＣＱＩ幅）がしきい値α以上であるか否かを判定する（ステップＳＴ１００４）。
【０１５１】
ＣＱＩ幅がしきい値α以上である場合には、しきい値決定部１１０は、上位しきい値としてβを決定するとともに下位しきい値としてγを決定する（ステップＳＴ１００５）。
【０１５２】
一方、ステップＳＴ１００４において、確率密度分布のＣＱＩの幅がしきい値α以上でない場合には、しきい値決定部１１０は、上位しきい値としてδを決定するとともに下位しきい値としてεを決定する（ステップＳＴ１００６）。
【０１５３】
確率密度分布に応じてしきい値を可変にて設定する他の方法として、ＣＱＩの確率密度分布の最大値を検出して、最大値がしきい値α１以上であるか否かを判定し、最大値がしきい値α１以上であれば、上位しきい値としてδ１を選択するとともに下位しきい値としてε１を選択し、最大値がしきい値α１以上でない場合には、上位しきい値としてβ１を選択するとともに下位しきい値としてγ１を選択する。また、確率密度分布に応じてしきい値を可変にて設定する他の方法として、確率密度分布に使用したＳＮＲの値より分散を計算し、求めた分散がしきい値α２以上であるか否かを判定し、分散がしきい値α２以上であれば、上位しきい値としてβ２を選択するとともに下位しきい値としてγ２を選択し、分散がしきい値α２以上でない場合には、上位しきい値としてδ２を選択するとともに下位しきい値としてε２を選択する。
【０１５４】
次に、ＣＱＩ決定部９０２は、仮ＣＱＩが中央値よりも大きいか否かを判定する（ステップＳＴ１００７）。
【０１５５】
仮ＣＱＩが中央値よりも大きい場合には、ＣＱＩ決定部９０２は、仮ＣＱＩが上位しきい値βまたは上位しきい値δよりも大きいか否かを判定する（ステップＳＴ１００８）。
【０１５６】
そして、仮ＣＱＩが上位しきい値βまたは上位しきい値δよりも大きい場合には、ＣＱＩ決定部９０２は、仮ＣＱＩが上位しきい値βまたは上位しきい値δよりも大きい旨の情報を平均化長制御部９０３へ出力し、平均化長制御部９０３は、信号電力の平均化時間を長くする（ステップＳＴ１００９）。
【０１５７】
具体的には、平均化長制御部９０３は、図１２に示すように、信号電力の測定区間が既知シンボル長と同じである場合において、ｔ１〜ｔ４の４つの均等な平均化時間毎に信号電力を測定している場合、ＣＱＩ決定部９０２より仮ＣＱＩが上位しきい値βまたは上位しきい値δよりも大きい旨の情報が入力した際には、測定区間内においてｔ５（ｔ５＝ｔ１＋ｔ２）、ｔ６（ｔ６＝ｔ３＋ｔ４）の２つの均等な平均化時間を設定することにより１回の信号電力の測定に要する同相平均化時間を長くする。これにより、ＳＮＲ測定部１０７は、最初、平均化時間ｔ１に含まれる信号を同相平均してから求めた信号電力Ｓ１と雑音電力Ｎ１、平均化時間ｔ２にて同相平均してから求めた信号電力Ｓ２と雑音電力Ｎ２、平均化時間ｔ３にて同相平均してから求めた信号電力Ｓ３と雑音電力Ｎ３及び平均化時間ｔ４にて同相平均してから求めた信号電力Ｓ４と雑音電力Ｎ４をそれぞれ求めた後、信号電力、雑音電力を各々平均化して図１２の測定区間のＳＮＲを求めていたものを、平均化長制御部９０３の制御により、平均化時間ｔ５にて同相平均してから求めた信号電力Ｓ５と雑音電力Ｎ５及び平均化時間ｔ６にて同相平均してから求めた信号電力Ｓ６と雑音電力Ｎ６をそれぞれ求めてから、信号電力、雑音電力を各々平均化して測定区間のＳＮＲを求めるように変更する。このように、ＳＮＲ測定部１０７は、平均化長制御部９０３にて新たに設定された平均化時間ｔ５、ｔ６にて再度信号電力、雑音電力の算出を行い、この区間のＳＮＲ算出のための平均化を行う。
【０１５８】
平均化長制御部９０３は、中央値と仮ＣＱＩとの差分に応じた平均化時間を設定することが可能である。中央値と仮ＣＱＩとの差分が大きい場合には、仮ＣＱＩを選択する際のＳＮＲが大きいことを意味する。この場合には、信号電力の変動は緩やかであると予想されるため、平均化時間を長くして雑音成分を抑圧することで測定分散を抑えることができる。平均化長制御部９０３は、中央値と仮ＣＱＩとの差分と平均化時間とを関係付けた平均化時間設定用情報を保存した参照テーブルを保持して、中央値と仮ＣＱＩとの差分を用いて平均化時間を設定する等の任意の方法を適用することが可能である。
【０１５９】
ステップＳＴ１００８において、仮ＣＱＩが上位しきい値βまたは上位しきい値δよりも大きくない場合には、ＣＱＩ決定部９０２は、仮ＣＱＩを報告ＣＱＩとして選択する（ステップＳＴ１０１０）。
【０１６０】
一方、ステップＳＴ１００７において、仮ＣＱＩが中央値よりも大きくない場合には、ＣＱＩ決定部９０２は、仮ＣＱＩが中央値よりも小さいか否かを判定する（ステップＳＴ１０１１）。
【０１６１】
仮ＣＱＩが中央値よりも小さくない場合には、ＣＱＩ決定部９０２は、仮ＣＱＩを報告ＣＱＩとして選択する（ステップＳＴ１０１０）。
【０１６２】
仮ＣＱＩが中央値よりも小さい場合には、ＣＱＩ決定部９０２は、仮ＣＱＩが下位しきい値γまたは下位しきい値εよりも大きいか否かを判定する（ステップＳＴ１０１２）。
【０１６３】
そして、仮ＣＱＩが下位しきい値γまたは下位しきい値εよりも大きい場合には、ＣＱＩ決定部９０２は、仮ＣＱＩを報告ＣＱＩとして選択する（ステップＳＴ１０１０）。
【０１６４】
また、仮ＣＱＩが下位しきい値γまたは下位しきい値εよりも大きくない場合には、ＣＱＩ決定部９０２は、信号電力の分散がしきい値θ以上であるか否かを判定する（ステップＳＴ１０１３）。信号電力分散測定部９０１は、図１３に示すように、測定区間における各平均化時間ｔ１〜ｔ４の信号電力Ｓ１〜Ｓ４を用いて正規化した後、信号電力の分散を算出する。
【０１６５】
信号電力の分散がしきい値θ以上でない場合には、ＣＱＩ決定部９０２は、仮ＣＱＩを報告ＣＱＩとして選択する（ステップＳＴ１０１０）。
【０１６６】
信号電力の分散がしきい値θ以上である場合には、ＣＱＩ決定部９０２は、仮ＣＱＩよりも１つだけ受信品質が良好なＣＱＩを選択して報告ＣＱＩとする（ステップＳＴ１０１４）。例えば、仮ＣＱＩが図１９に示すレベル２５の場合には、ＣＱＩ決定部１１１は、レベル２６のＣＱＩを報告ＣＱＩとして選択する。
【０１６７】
次に、通信端末装置９００は、選択した報告ＣＱＩを基地局装置へ送信する（ステップＳＴ１０１５）。そして、基地局装置は、ＣＱＩを用いてスケジューリング及び適応変調等を行う。
【０１６８】
このように、本実施の形態４によれば、上記実施の形態１の効果に加えて、平均化時間を長くすることにより、雑音成分を抑圧することができるので測定分散を抑えることができる。また、本実施の形態４によれば、仮ＣＱＩが中央値に比べて大きい場合には、仮ＣＱＩが高めに選択されている可能性が高いことから、平均化時間を長くすることにより測定分散を抑制することができるとともに、測定分散を抑制した後のＳＮＲを用いてＣＱＩを選択し直すことができるので、高めに報告されていたＣＱＩを適切なＣＱＩに補正することができる。
【０１６９】
なお、本実施の形態４において、ＣＱＩの確率密度分布の広がり、ＣＱＩの確率密度分布の最大値または分散としきい値αとを比較して上位しきい値及び下位しきい値を設定することとしたが、これに限らず、ＣＱＩの確率密度分布が広がるほど、ＣＱＩの確率密度分布の最大値が小さくなるほど、または、分散が大きくなるほど、上位しきい値、下位しきい値を中央値から離して設定するようにしても良い。また、本実施の形態４において、仮ＣＱＩと上位しきい値及び仮ＣＱＩと下位しきい値を比較することとしたが、これに限らず、複数の上位しきい値及び複数の下位しきい値を設定して、仮ＣＱＩと比較するようにしても良い。また、本実施の形態４において、仮ＣＱＩと上位しきい値及び下位しきい値との比較結果に応じて仮ＣＱＩよりも１つだけ受信品質が良好なＣＱＩまたは仮ＣＱＩ１つだけ受信品質が悪いＣＱＩを選択することとしたが、これに限らず、仮ＣＱＩよりも２つ以上受信品質が良好な何れかのＣＱＩまたは仮ＣＱＩよりも２つ以上受信品質が悪い何れかのＣＱＩを選択しても良い。
【０１７０】
（実施の形態５）
図１４は、本発明の実施の形態５に係る通信端末装置１４００の構成を示すブロック図である。
【０１７１】
本実施の形態５に係る通信端末装置１４００は、図１に示す実施の形態１に係る通信端末装置１００において、図１４に示すように、しきい値決定部１１０を除くものである。なお、図１４においては、図１と同一構成である部分には同一の符号を付してその説明は省略する。
【０１７２】
統計処理部１０９は、仮ＣＱＩ選択部１０８から入力する仮ＣＱＩを用いて、各受信品質についての仮ＣＱＩの生成頻度を求め、求めた仮ＣＱＩの生成頻度を頻度情報としてＣＱＩ決定部１１１へ出力する。
【０１７３】
ＣＱＩ決定部１１１は、仮ＣＱＩ選択部１０８から入力した仮ＣＱＩの受信品質の１レベル上及び１レベル下の受信品質を示す２つのＣＱＩを選択し、統計処理部１０９から入力した頻度情報より、選択した２つのＣＱＩの頻度差を求める。そして、ＣＱＩ決定部１１１は、求めた頻度差が上位しきい値以上であるかまたは上位しきい値未満であるかを判定するとともに、求めた頻度差が下位しきい値以下であるかまたは下位しきい値より大きいかを判定する。そして、ＣＱＩ決定部１１１は、頻度差が上位しきい値以上であれば、仮ＣＱＩは高いものが選ばれている可能性が高いと見なして低めのＣＱＩを選択するとともに、選択したＣＱＩを報告ＣＱＩとして送信フレーム作成部１１２へ出力する。一方、ＣＱＩ決定部１１１は、頻度差が下位しきい値以下であれば、仮ＣＱＩは低いものが選ばれている可能性が高いと見なして高めのＣＱＩを選択するとともに、選択したＣＱＩを報告ＣＱＩとして送信フレーム作成部１１２へ出力する。また、ＣＱＩ決定部１１１は、頻度差が上位しきい値より小さくてかつ下位しきい値より大きい場合には、仮ＣＱＩをそのまま選択して送信フレーム作成部１１２へ出力する。
【０１７４】
次に、通信端末装置１４００の動作について、図１５を用いて説明する。図１５は、通信端末装置１４００の動作を示すフロー図である。
【０１７５】
最初に、仮ＣＱＩ選択部１０８は、仮ＣＱＩを生成する（ステップＳＴ１５０１）。
【０１７６】
次に、統計処理部１０９は、図１６に示すような仮ＣＱＩの頻度情報を生成する（ステップＳＴ１５０２）。頻度情報は、仮ＣＱＩと仮ＣＱＩの生成頻度とを関係付けた情報である。
【０１７７】
次に、統計処理部１０９は、仮ＣＱＩの受信品質の前後の受信品質を示す２つの仮ＣＱＩを選択する（ステップＳＴ１５０３）。即ち、図１６より、統計処理部１０９は、仮ＣＱＩ＝１０である場合には、仮ＣＱＩの受信品質の前後の受信品質を示す２つの仮ＣＱＩとして仮ＣＱＩ＝９及び仮ＣＱＩ＝１１を選択する。
【０１７８】
次に、ＣＱＩ決定部１１１は、仮ＣＱＩの頻度差が上位しきい値α以上であるか否かを判定する（ステップＳＴ１５０４）。即ち、仮ＣＱＩ＝９の頻度と仮ＣＱＩ＝１１の頻度とを減算することにより頻度差を求める。
【０１７９】
仮ＣＱＩの頻度差が上位しきい値α以上である場合には、ＣＱＩ決定部１１１は、仮ＣＱＩよりも１つだけ受信品質が悪いＣＱＩを選択して報告ＣＱＩとする（ステップＳＴ１５０５）。例えば、図１６より、仮ＣＱＩ＝１０の場合には、ＣＱＩ決定部１１１は、仮ＣＱＩ＝９を報告ＣＱＩとして選択する。
【０１８０】
仮ＣＱＩの頻度差が上位しきい値α以上でない場合には、ＣＱＩ決定部１１１は、仮ＣＱＩの頻度差が下位しきい値β以下であるか否かを判定する（ステップＳＴ１５０６）。
【０１８１】
仮ＣＱＩの頻度差が下位しきい値以下でない場合には、ＣＱＩ決定部１１１は、仮ＣＱＩをそのまま報告ＣＱＩとして選択する（ステップＳＴ１５０７）。
【０１８２】
一方、仮ＣＱＩの頻度差が下位しきい値以下である場合には、ＣＱＩ決定部１１１は、仮ＣＱＩよりも１つだけ受信品質が良いＣＱＩを選択して報告ＣＱＩとする（ステップＳＴ１５０８）。例えば、図１６より、仮ＣＱＩ＝１０の場合には、ＣＱＩ決定部１１１は、仮ＣＱＩ＝１１を報告ＣＱＩとして選択する。
【０１８３】
次に、通信端末装置１４００は、報告ＣＱＩを基地局装置へ送信する（ステップＳＴ１５０９）。そして、基地局装置は、ＣＱＩを用いてスケジューリング及び適応変調等を行う。
【０１８４】
このように、本実施の形態５によれば、通信端末装置において、仮ＣＱＩを用いて統計処理することにより仮ＣＱＩの頻度情報を生成し、生成したＣＱＩの頻度情報を用いて仮ＣＱＩの１レベル上の受信品質のＣＱＩ及び１レベル下の受信品質のＣＱＩを選択し、選択した２つのＣＱＩの頻度差を算出し、算出した頻度差としきい値との比較結果に応じて、仮ＣＱＩよりも受信品質が良好なＣＱＩまたは仮ＣＱＩよりも受信品質が悪いＣＱＩを報告ＣＱＩとして選択するので、基地局装置において精度の高いスケジューリングを行うことができるとともに、システムスループットが低下することを防ぐことができる。
【０１８５】
なお、本実施の形態５において、選択したＣＱＩの頻度差に応じて仮ＣＱＩよりも１つだけ受信品質が良好なＣＱＩまたは仮ＣＱＩよりも１つだけ受信品質が悪いＣＱＩを選択することとしたが、これに限らず、仮ＣＱＩよりも２つ以上受信品質が良好な何れかのＣＱＩまたは仮ＣＱＩよりも２つ以上受信品質が悪い何れかのＣＱＩを選択しても良い。
【０１８６】
（実施の形態６）
図１７は、本発明の実施の形態６に係る基地局装置１７００の構成を示すブロック図である。
【０１８７】
本実施の形態６に係る基地局装置１７００は、図５に示す実施の形態２に係る基地局装置５００において、図１７に示すように、しきい値決定部５０８を除くものである。なお、図１７においては、図５と同一構成である部分には同一の符号を付してその説明は省略する。
【０１８８】
統計処理部５０７は、復号部５０６から入力した復号化された受信信号よりＣＱＩを抽出し、抽出したＣＱＩを用いて各受信品質についてのＣＱＩの報告頻度を求め、求めたＣＱＩの報告頻度を頻度情報として無線品質推定部５０９へ出力する。
【０１８９】
無線品質推定部５０９は、復号部５０６から入力した復号化された受信信号よりＣＱＩを抽出し、抽出したＣＱＩの受信品質の１レベル上及び１レベル下の受信品質を示す２つのＣＱＩを選択し、統計処理部５０７から入力した頻度情報より、選択した２つのＣＱＩの頻度差（低ＣＱＩ頻度-高ＣＱＩ頻度）を求める。そして、無線品質推定部５０９は、求めた頻度差が上位しきい値以上であるかまたは上位しきい値未満であるかを判定するとともに、求めた頻度差が下位しきい値以下であるかまたは下位しきい値より大きいかを判定する。そして、無線品質推定部５０９は、頻度差が上位しきい値以上であれば、報告されたＣＱＩは高いものが選ばれている可能性が高いと見なして低めのＣＱＩを選択するとともに、選択したＣＱＩをスケジューラ部５１０へ出力する。一方、無線品質推定部５０９は、頻度差が下位しきい値以下であれば、報告されたＣＱＩは低いものが選ばれている可能性が高いと見なして高めのＣＱＩを選択するとともに、選択したＣＱＩをスケジューラ部５１０へ出力する。また、無線品質推定部５０９は、頻度差が上位しきい値より小さくてかつ下位しきい値より大きい場合には、報告されたＣＱＩをそのまま選択してスケジューラ部５１０へ出力する。
【０１９０】
次に、基地局装置１７００の動作について、図１８を用いて説明する。図１８は、基地局装置１７００の動作を示すフロー図である。
【０１９１】
最初に、統計処理部５０７は、受信信号よりＣＱＩを抽出する（ステップＳＴ１８０１）。
【０１９２】
次に、統計処理部５０７は、抽出したＣＱＩの頻度情報を生成する（ステップＳＴ１８０２）。なお、頻度情報は、図１６の横軸の仮ＣＱＩが抽出したＣＱＩになる以外は図１６と同一である。
【０１９３】
次に、統計処理部５０７は、抽出したＣＱＩの受信品質の前後の受信品質を示す２つのＣＱＩを選択する（ステップＳＴ１８０３）。
【０１９４】
次に、無線品質推定部５０９は、選択した２つのＣＱＩの頻度差（低ＣＱＩ頻度-高ＣＱＩ頻度）が上位しきい値α以上であるか否かを判定する（ステップＳＴ１８０４）。
【０１９５】
抽出したＣＱＩの頻度差が上位しきい値α以上である場合には、無線品質推定部５０９は、抽出したＣＱＩよりも１つだけ受信品質が悪いＣＱＩを選択して報告ＣＱＩとする（ステップＳＴ１８０５）。
【０１９６】
抽出したＣＱＩの頻度差が上位しきい値α以上でない場合には、無線品質推定部５０９は、抽出したＣＱＩの頻度差が下位しきい値β以下であるか否かを判定する（ステップＳＴ１８０６）。
【０１９７】
抽出したＣＱＩの頻度差が下位しきい値以下でない場合には、無線品質推定部５０９は、抽出したＣＱＩをそのまま報告ＣＱＩとして選択する（ステップＳＴ１８０７）。
【０１９８】
一方、抽出したＣＱＩの頻度差が下位しきい値以下である場合には、無線品質推定部５０９は、抽出したＣＱＩよりも１つだけ受信品質が良いＣＱＩを選択して報告ＣＱＩとする（ステップＳＴ１８０８）。
【０１９９】
次に、スケジューラ部５１０は、報告ＣＱＩを用いてスケジューリングを行う（ステップＳＴ１８０９）。
【０２００】
このように、本実施の形態６によれば、基地局装置において、受信信号より抽出したＣＱＩを用いて統計処理することによりＣＱＩの頻度情報を生成し、生成したＣＱＩの頻度情報を用いて仮ＣＱＩの直前及び直後の受信品質のＣＱＩを選択し、選択した２つのＣＱＩの頻度差を算出し、算出した頻度差としきい値との比較結果に応じて、仮ＣＱＩよりも受信品質が良好なＣＱＩまたは仮ＣＱＩよりも受信品質が悪いＣＱＩを報告ＣＱＩとして選択するので、精度の高いスケジューリングを行うことができるとともに、システムスループットが低下することを防ぐことができる。
【０２０１】
なお、本実施の形態６において、選択したＣＱＩの頻度差に応じて抽出されたＣＱＩよりも１つだけ受信品質が良好なＣＱＩまたは抽出されたＣＱＩよりも１つだけ受信品質が悪いＣＱＩを選択することとしたが、これに限らず、抽出されたＣＱＩよりも２つ以上受信品質が良好な何れかのＣＱＩまたは抽出されたＣＱＩよりも２つ以上受信品質が悪い何れかのＣＱＩを選択しても良い。
【産業上の利用可能性】
【０２０２】
本発明にかかる通信端末装置及び基地局装置は、統計処理を用いて補正された受信品質情報を報告することにより、精度の高いスケジューリングを行うことができるとともに、システムスループットが低下することを防ぐ効果を有し、受信品質を判定するのに有用である。
【図面の簡単な説明】
【０２０３】
【図１】本発明の実施の形態１に係る通信端末装置の構成を示すブロック図
【図２】本発明の実施の形態１に係る通信端末装置の動作を示すフロー図
【図３】本発明の実施の形態１に係るＣＱＩの確率密度分布を示す図
【図４】本発明の実施の形態１に係るＳＮＲの確率密度分布を示す図
【図５】本発明の実施の形態２に係る基地局装置の構成を示すブロック図
【図６】本発明の実施の形態２に係る基地局装置の動作を示すフロー図
【図７】本発明の実施の形態３に係る通信端末装置の構成を示すブロック図
【図８】本発明の実施の形態３に係る通信端末装置の動作を示すフロー図
【図９】本発明の実施の形態４に係る通信端末装置の構成を示すブロック図
【図１０】本発明の実施の形態４に係る通信端末装置の動作を示すフロー図
【図１１】本発明の実施の形態４に係る通信端末装置の動作を示すフロー図
【図１２】本発明の実施の形態４に係る平均化時間を示す図
【図１３】本発明の実施の形態４に係る信号電力の分散を求める方法を示す図
【図１４】本発明の実施の形態５に係る通信端末装置の構成を示すブロック図
【図１５】本発明の実施の形態５に係る通信端末装置の動作を示すフロー図
【図１６】本発明の実施の形態５に係る仮ＣＱＩと頻度との関係を示す図
【図１７】本発明の実施の形態６に係る基地局装置の構成を示すブロック図
【図１８】本発明の実施の形態６に係る基地局装置の動作を示すフロー図
【図１９】ＣＱＩ選択用情報を保存するテーブルを示す図
【図２０】ＰＥＲと合計ＳＮＲとの関係を示す図
【図２１】ＳＮＲと確率密度との関係を示す図
【符号の説明】
【０２０４】
１００  通信端末装置
１０７  ＳＮＲ測定部
１０８  仮ＣＱＩ選択部
１０９  統計処理部
１１０  しきい値決定部
１１１  ＣＱＩ決定部
【図１】
2005057710.tif 000004
【図２】
2005057710.tif 000005
【図３】
2005057710.tif 000006
【図４】
2005057710.tif 000007
【図５】
2005057710.tif 000008
【図６】
2005057710.tif 000009
【図７】
2005057710.tif 000010
【図８】
2005057710.tif 000011
【図９】
2005057710.tif 000012
【図１０】
2005057710.tif 000013
【図１１】
2005057710.tif 000014
【図１２】
2005057710.tif 000015
【図１３】
2005057710.tif 000016
【図１４】
2005057710.tif 000017
【図１５】
2005057710.tif 000018
【図１６】
2005057710.tif 000019
【図１７】
2005057710.tif 000020
【図１８】
2005057710.tif 000021
【図１９】
2005057710.tif 000022
【図２０】
2005057710.tif 000023
【図２１】
2005057710.tif 000024